(57)【要約】【課題】ワイヤハーネスのプロテクタの取り付け位置にバラツキの生じないワイヤハーネスの固定構造を提供する。【解決手段】固定構造１は、プロテクタ２０と、グロメット１０、及びグロメット１０と一体成型された一対の結束片１５を備えている。結束片１５の端部には係止穴１５ａが設けられており、プロテクタ２０の重なり部２２には係止突起２２ａが設けられている。結束片１５をワイヤハーネス３の外周に巻き付け、係止穴１５ａが係止突起２２ａに係止して、ワイヤハーネス３をプロテクタ２０の重なり部２２に結束する。【選択図】図３
2006166511.tif 000002
【特許請求の範囲】
【請求項１】
弾性材料からなり、表面上にワイヤハーネスを位置付ける平板部を備えた弾性部材と、
合成樹脂からなり、前記弾性部材の平板部に取り付けられて前記平板部との間に、前記ワイヤハーネスを位置付ける収容部を備えたプロテクタと、を備えたワイヤハーネスの固定構造において、
前記プロテクタは、前記収容部に連なりかつ前記ワイヤハーネスと重ねられる重なり部を備え、
前記弾性部材は、前記平板部に連なりかつ前記ワイヤハーネスを前記プロテクタの前記重なり部に結束する結束部を備えていることを特徴とするワイヤハーネスの固定構造。
【請求項２】
前記結束部は、前記平板部から前記ワイヤハーネスの長手方向と交差する方向に延びた結束片を少なくとも一つ備えていることを特徴とする、請求項１に記載のワイヤハーネスの固定構造。
【請求項３】
前記結束片に、前記プロテクタに係止する係止部が設けられており、前記プロテクタに、該係止部と係止する係止受け部が設けられていることを特徴とする請求項２に記載のワイヤハーネスの固定構造。
【請求項４】
前記結束片に、前記係止部が、前記ワイヤハーネスの長手方向と交差する方向に沿って互いに間隔をあけて複数設けられていることを特徴とする請求項３に記載のワイヤハーネスの固定構造。
【請求項５】
前記プロテクタは、前記収容部と前記重なり部のうち一方にヒンジを介して連結されかつ前記結束片が取り付けられる回動片を備えており、
前記回動片は、前記ワイヤハーネスが前記プロテクタから離脱することを許容する非結束位置と、前記ワイヤハーネスが前記プロテクタから離脱することを規制する結束位置とに亘って回動自在であり、
前記結束片の弾性復元力により、前記回動片を前記結束位置に保つことを特徴とする請求項２に記載のワイヤハーネスの固定構造。
【請求項６】
前記回動片を前記結束位置に保つロック手段を備えたことを特徴とする請求項５に記載のワイヤハーネスの固定構造。
【請求項７】
前記結束部は、収縮自在な環状に形成され、内側に前記ワイヤハーネスを収容し、前記結束部の弾性力によって前記ワイヤハーネスを結束することを特徴とする請求項１に記載のワイヤハーネスの固定構造。
【請求項８】
前記結束片が、前記平板部の両縁から前記ワイヤハーネスの長手方向と交差する方向に沿って延びて一対設けられ、
前記一対の結束片のうちの一方の結束片の前記平板部から離れた側の端部に、係止部が、前記ワイヤハーネスの長手方向と交差する方向に沿って互いに間隔をあけて複数設けられ、そして、他方の結束片の前記平板部から離れた側の端部に、前記係止部と係止する係止受け部が設けられていることを特徴とする請求項２に記載のワイヤハーネスの固定構造。
【請求項９】
前記結束片が、前記平板部の両縁から前記ワイヤハーネスの長手方向と交差する方向に沿って延びて一対設けられ、
前記一対の結束片の前記平板部から離れた側の端部同士を溶着することによって前記ワイヤハーネスを結束することを特徴とする請求項２に記載のワイヤハーネスの固定構造。
【発明の詳細な説明】
【技術分野】
【０００１】
本発明は、自動車等の車両に配索されるワイヤハーネスを収納し、かつ、外部との干渉から保護するハーネスプロテクタなどを用いたワイヤハーネスの固定構造に関する。
【背景技術】
【０００２】
車両としての自動車には種々の電子機器が取り付けられている。この自動車には電子機器に電力や信号を供給するためにワイヤハーネスが配索され、ワイヤハーネスは電線とコネクタなどを備えている。電線は、芯線と被覆を有する所謂被覆電線である。コネクタは、電線の芯線と接続される端子金具と絶縁性のコネクタハウジングとを備えており、コネクタハウジングは端子金具を収容する。コネクタハウジング即ちコネクタは電子機器に接続し、ワイヤハーネスは、コネクタが電子機器に接続することで各電子機器に電力や信号を供給する。
【０００３】
前述したワイヤハーネスを自動車の車体などに固定するために従来から種々のプロテクタ（特許文献１参照）が用いられてきた。プロテクタはワイヤハーネスを収容してワイヤハーネスに異物などが接触することを防止して、該ワイヤハーネスを断線や損傷などから保護している。特許文献１に示されたプロテクタは、ワイヤハーネスとともに外側にテープが巻かれて固定されていた。
【特許文献１】特開平７−３２２４４１号公報
【発明の開示】
【発明が解決しようとする課題】
【０００４】
しかしながら、従来のプロテクタは、ワイヤハーネスと固定される際に、テープで巻き付けられていたため、作業員がテープの巻き付け作業を習得するのに時間を要し、かつテープの巻き付け作業自体にも時間を要していた。さらに、作業員の習熟度によってテープの巻き付け位置などにバラツキが生じるといった問題もあった。
【０００５】
本発明は、上記した点に鑑み、ワイヤハーネスのプロテクタの取り付け位置にバラツキの生じないワイヤハーネスの固定構造を提供することを課題とする。
【課題を解決するための手段】
【０００６】
上記課題を達成するために、請求項１記載の発明は、弾性材料からなり、表面上にワイヤハーネスを位置付ける平板部を備えた弾性部材と、合成樹脂からなり、前記弾性部材の平板部に取り付けられて前記平板部との間に、前記ワイヤハーネスを位置付ける収容部を備えたプロテクタと、を備えたワイヤハーネスの固定構造において、前記プロテクタは、前記収容部に連なりかつ前記ワイヤハーネスと重ねられる重なり部を備え、前記弾性部材は、前記平板部に連なりかつ前記ワイヤハーネスを前記プロテクタの前記重なり部に結束する結束部を備えていることを特徴としている。
【０００７】
上記課題を達成するために、請求項２記載の発明は、請求項１記載のワイヤハーネスの固定構造において、前記結束部は、前記平板部から前記ワイヤハーネスの長手方向と交差する方向に延びた結束片を少なくとも一つ備えていることを特徴としている。
【０００８】
上記課題を達成するために、請求項３記載の発明は、請求項２記載のワイヤハーネス固定構造において、前記結束片に、前記プロテクタに係止する係止部が設けられており、前記プロテクタに、該係止部と係止する係止受け部が設けられていることを特徴としている。
【０００９】
上記課題を達成するために、請求項４記載の発明は、請求項３記載のワイヤハーネスの固定構造において、前記結束片に、前記係止部が、前記ワイヤハーネスの長手方向と交差する方向に沿って互いに間隔をあけて複数設けられていることを特徴としている。
【００１０】
上記課題を達成するために、請求項５記載の発明は、請求項２記載のワイヤハーネスの固定構造において、前記プロテクタは、前記収容部と前記重なり部のうち一方にヒンジを介して連結されかつ前記結束片が取り付けられる回動片を備えており、前記回動片は、前記ワイヤハーネスが前記プロテクタから離脱することを許容する非結束位置と、前記ワイヤハーネスが前記プロテクタから離脱することを規制する結束位置とに亘って回動自在であり、前記結束片の弾性復元力により、前記回動片を前記結束位置に保つことを特徴としている。
【００１１】
上記課題を達成するために、請求項６記載の発明は、請求項５記載のワイヤハーネスの固定構造において、前記回動片を前記結束位置に保つロック手段を備えたことを特徴としている。
【００１２】
上記課題を達成するために、請求項７記載の発明は、請求項１記載のワイヤハーネスの固定構造において、前記結束部は、収縮自在な環状に形成され、内側に前記ワイヤハーネスを収容し、前記結束部の弾性力によって前記ワイヤハーネスを結束することを特徴としている。
【００１３】
上記課題を達成するために、請求項８記載の発明は、請求項２記載のワイヤハーネスの固定構造において、前記結束片が、前記平板部の両縁から前記ワイヤハーネスの長手方向と交差する方向に沿って延びて一対設けられ、前記一対の結束片のうちの一方の結束片の前記平板部から離れた側の端部に、係止部が、前記ワイヤハーネスの長手方向と交差する方向に沿って互いに間隔をあけて複数設けられ、そして、他方の結束片の前記平板部から離れた側の端部に、前記係止部と係止する係止受け部が設けられていることを特徴としている。
【００１４】
上記課題を達成するために、請求項９記載の発明は、請求項２記載のワイヤハーネスの固定構造において、前記結束片が、前記平板部の両縁から前記ワイヤハーネスの長手方向と交差する方向に沿って延びて一対設けられ、前記一対の結束片の前記平板部から離れた側の端部同士を溶着することによって前記ワイヤハーネスを結束することを特徴としている。
【発明の効果】
【００１５】
請求項１及び請求項２記載の発明によれば、ワイヤハーネスをプロテクタの重なり部に結束する結束部が、グロメットと一体成型されているので、結束箇所がグロメット即ちプロテクタに対して位置ずれする虞がない。したがって、取り付け位置にバラツキの生じないワイヤハーネスの固定構造が得られる。
【００１６】
請求項３記載の発明によれば、グロメットと一体成型された結束片に係止部を設け、プロテクタに該係止部と係止する係止受け部を設けているため、ワンタッチで結束片をプロテクタに係止することができる。したがって、ワイヤハーネスのプロテクタへの取り付け作業を簡素化することができるとともに、取り付け位置にバラツキの生じないワイヤハーネスの固定構造が得られる。
【００１７】
請求項４記載の発明によれば、グロメットと一体成型された結束片に、係止部が、ワイヤハーネスの長手方向に沿って互いに間隔をあけて複数設けられているため、請求項３の効果に加え、ワイヤハーネスの太さに合わせて容易に長さ調節が可能なワイヤハーネスの固定構造が得られる。
【００１８】
請求項５記載の発明によれば、プロテクタからヒンジを介して回動自在に連結され、かつ結束片が取り付けられる回動片を備えている。そして、該回動片は、結束片の弾性復元力によりワイヤハーネスがプロテクタから離脱することを規制する結束位置に保つことができる。したがって、ワイヤハーネスのプロテクタへの取り付け作業を簡素化することができるとともに、取り付け位置にバラツキの生じないワイヤハーネスの固定構造が得られる。
【００１９】
請求項６記載の発明によれば、回動片を結束位置に保つロック手段を備えているので、ワンタッチで回動片及び結束片を結束位置に固定することができるとともに、結束片が回動片から外れることを防ぐことができる。したがって、請求項５の効果に加えて、信頼性の高いワイヤハーネスの固定構造が得られる。
【００２０】
請求項７記載の発明によれば、伸縮自在な環状の結束部の内側にワイヤハーネスを収容し、結束部の弾性力によってワイヤハーネスを結束するため、ワイヤハーネスのプロテクタへの取り付け作業を簡素化することができるとともに、取り付け位置にバラツキの生じないワイヤハーネスの固定構造が得られる。
【００２１】
請求項８記載の発明によれば、一対設けられた結束片のうちの一方の結束片の端部に、係止部が、ワイヤハーネスの長手方向と交差する方向に沿って複数設けられ、そして、他方の結束片の平板部から離れた側の端部に、該係止部と係止する係止受け部が設けられている。したがって、請求項２の効果に加え、ワイヤハーネスの太さに合わせて容易に長さ調節が可能なワイヤハーネスの固定構造が得られる。
【００２２】
請求項９記載の発明によれば、一対設けられた結束片の平板部から離れた側の端部同士を溶着することによって、請求項２の効果に加え、ワイヤハーネスの太さに合わせて容易に長さ調節が可能なワイヤハーネスの固定構造が得られる。
【発明を実施するための最良の形態】
【００２３】
（第１の実施形態）
以下、本発明の第１の実施形態にかかるワイヤハーネスの固定構造を図１ないし図５を用いて説明する。図１は、本発明の第１の実施形態にかかる固定構造を示す斜視図である。本発明の第１の実施形態にかかるワイヤハーネスの固定構造１は、図１に示すように、車両としての自動車の車体と、この車体に回動自在に設けられたドア２と、に亘って配索されるワイヤハーネス３を、ドア２に取り付ける固定構造１である。
【００２４】
ワイヤハーネス３は、図１に示すように、複数の電線４と、複数のコネクタ５とを備えている。電線４は、導電性の芯線と、絶縁性の被覆部とを備えた所謂被覆電線である。芯線は、銅などの金属からなる素線が複数撚られて構成されている。被覆部は、絶縁性の合成樹脂からなり、芯線を被覆している。
【００２５】
コネクタ５は、電線４の端部などに取り付けられる。複数のコネクタ５のうち一つのコネクタ５ａは、車体側のワイヤハーネス３の図示しないコネクタなどと嵌合する。他のコネクタ５ｂは、ドア２に取りつけられるスピーカ、スイッチユニット、ドアロックユニット、パワーウィンドモータなどの各種の電子機器のコネクタなどと嵌合する。
【００２６】
前述した構成のワイヤハーネス３は、コネクタ５が各々相手側のコネクタと嵌合して、車体側から各種の信号や電力を前述したドア２に取り付けられる電子機器に供給する。また、ワイヤハーネス３は、コネクタ５が各々相手側のコネクタと嵌合して、前述したスイッチユニットからの信号を車体側のワイヤハーネス３に供給する。
【００２７】
続いて、本発明の固定構造１について説明する。図２は、図１に示された固定構造１の分解斜視図であり、図３は、図１に示された固定構造１の斜視図であり、図４は、図３に示された固定構造１を反対側から見た斜視図である。また、図５は、図３中のＡ−Ａ線に沿う断面図である。
【００２８】
固定構造１は、図２などに示すように、弾性部材としてのグロメット１０とプロテクタ２０を備えている。グロメット１０は、弾性材料としてのゴムなどからなり、図２ないし図４に示すように、筒部１１と、底板部１２と、連結部１３と、結束部１４とを一体に備えている。
【００２９】
筒部１１は、蛇腹状に形成されており、一端が底板部１２の孔の周辺に連なっている。そして、筒部１１と孔とは、互いに連通している。筒部１１と孔とは、内側に前述したワイヤハーネス３を通す。
【００３０】
底板部１２は板状に形成されている。底板部１２には、孔が貫通している。また、底板部１２は、ワイヤハーネス３を表面上に位置付ける。
【００３１】
連結部１３は底板部１２の縁から立設されて、ワイヤハーネス３を表面上に位置付けるとともに、底板部１２と後述の結束部１４とに亘って配されている。また、本明細書中で、底板部１２と連結部１３とを合わせて平板部と呼び、符号１７で表す。また、前記底板部１２と連結部１３の外縁には、前記ドア２との間を水密（液密）に保つリップ１７ａが設けられている。
【００３２】
結束部１４は、図２などに示すように、連結部１３に連なり、該連結部１３からワイヤハーネス３の長手方向と交差する方向に延びた帯状の結束片１５を少なくとも一つ備えている。本実施形態では、結束片１５は連結部１３の両縁それぞれから連結部１３の幅方向に沿って延びて、一対設けられている。また、結束片１５の連結部１３から離れた側の端部には係止部としての係止穴１５ａが設けられている。そして、結束部１４は、この結束片１５をワイヤハーネス３の外周に巻き付けて、係止穴１５ａを、後述のプロテクタ２０の係止受け部としての係止突起２２ａに引っ掛ける（図３及び図５に示す）ことにより、ワイヤハーネス３をプロテクタ２０の重なり部２２に結束（固定）する。
【００３３】
プロテクタ２０は、合成樹脂からなり、図２及び図３に示すように、収容部２１と、重なり部２２とを一体に備えている。収容部２１は、断面樋状（コ字状）に形成され、開口部が平板部１７に塞がれた格好でグロメット１０の平板部１７に取り付けられ、内側にワイヤハーネス３を収容する。即ち、収容部２１は、平板部１７との間にワイヤハーネス３を位置付ける。収容部２１の縁には、プロテクタ２０即ち固定構造１をドア２に取り付けるための、取付片２１ａが設けられている。該取付片２１ａにはねじが通される孔が形成されている。
【００３４】
重なり部２２は、収容部２１に連なり、該収容部２１からワイヤハーネス３の長手方向に延設している。重なり部２２は、平板状に形成され、前述したワイヤハーネス３と重ねられる。重なり部２２は、結束片１５がワイヤハーネス３を巻き付ける巻きしろをなす。重なり部２２には、係止受け部としての係止突起２２ａ（図３及び図５に示す）が設けられている。係止突起２２ａは、重なり部２２のワイヤハーネス３から見て裏側の表面から凸に形成されている。係止突起２２ａは一対設けられ、これら一対の係止突起２２ａは、ワイヤハーネス３の長手方向に交差する方向に沿って並べられている。係止突起２２ａは、前述の係止部としての係止穴１５ａと係止して、結束片１５を重なり部２２に固定する。
【００３５】
前述した固定構造１は、以下のように組み立てられる。まず、ワイヤハーネス３を、筒部１１内に通すとともに、平板部１７上に位置付ける。そして、平板部１７と、収容部２１とを互いに固定して、これらの間にワイヤハーネス３を挟む。
【００３６】
次に、一対の結束片１５のうち、一方の結束片１５をワイヤハーネス３の外周に巻き付けるように沿わせ、該一方の結束片１５の係止穴１５ａを一方の係止突起２２ａに引っ掛けて係止させる。さらに、他方の結束片１５も同様にワイヤハーネス３の外周に巻き付けるように沿わせ、該他方の結束片１５の係止穴１５ａを他方の係止突起２２ａに引っ掛けて係止させる。こうして、結束部１４は、ワイヤハーネス３をプロテクタ２０の重なり部２２に結束（固定）する。
【００３７】
このように本発明の第1の実施形態の固定構造１は、グロメット１０と一体成型された一対の結束片１５の連結部１３から離れた側の端部に係止穴１５ａが設けられており、プロテクタ２０の重なり部２２には、係止穴１５ａと係止する係止突起２２ａが設けられている。そして、ワイヤハーネス３の外周に結束片１５を巻き付けて、係止穴１５ａを係止突起２２ａに引っかけることにより、ワイヤハーネス３をプロテクタ２０の重なり部２２に結束（固定）することができる。さらに、この固定構造１は、ドア２に取り付けられる。
【００３８】
本発明の第1の実施形態の固定構造１によると、結束片１５がグロメット１０に一体成型されているため、結束箇所がグロメット１０即ちプロテクタ２０に対して位置ずれする虞がない。また、結束片１５の連結部１３から離れた側の端部に係止穴１５ａを設け、プロテクタ２０の重なり部２２に係止突起２２ａを設けているため、容易にワイヤハーネス３をプロテクタ２０の重なり部２２に結束（固定）することができる。したがって、ワイヤハーネス３のプロテクタ２０への取り付け作業を簡素化することができるとともに、取り付け位置にバラツキの生じないワイヤハーネス３の固定構造１が得られる。
【００３９】
さらに、本発明の第１の実施形態の変形例を図６ないし図９を用いて説明する。図６は本発明の第１の実施形態の固定構造１の変形例Ａを示す斜視図であり、図７は、図６中のＢ−Ｂ線に沿う断面図である。また、図８は、本発明の第１の実施形態の固定構造１の他の変形例Ｂを示す断面図であり、図９は、本発明の第１の実施形態の固定構造１の更に他の変形例Ｃを示す断面図である。なお、前述した第１の実施形態と同一部分には、同一符号を付して説明を省略する。
【００４０】
（第１の実施形態の変形例Ａ）
本発明の第１の実施形態の固定構造１では係止穴１５ａは、一対の結束片１５の両端に一つずつ設けられていたが、変形例Ａの固定構造３０では、図６及び図７に示すように、係止部としての係止穴１５ａが、一対の結束片１５それぞれの前述した端部に、ワイヤハーネス３の長手方向と交差する方向に沿って互いに間隔をあけて複数設けられている。
【００４１】
固定構造３０を組み立てる際には、ワイヤハーネス３の太さに対応する係止穴１５ａを選び、この係止穴１５ａに係止受け部としての係止突起２２ａを係止させて、結束片１５にたるみが出ないように調節する。このように、本発明では、長さ調節用に係止部としての係止穴１５ａが複数設けられていても良い。
【００４２】
（第１の実施形態の変形例Ｂ）
さらに、本発明の第１の実施形態の固定構造１では、結束片１５即ちグロメット１０側に係止部としての係止穴１５ａが設けられ、重なり部２２即ちプロテクタ２０側に、該係止穴１５ａと係止する係止受け部としての係止突起２２ａが設けられていたが、変形例Ｂの固定構造４０では、図８に示すように、グロメット１０側に係止部としての係止突起１５ｂが設けられ、プロテクタ２０側に係止受け部としての係止穴２２ｂが設けられている。
【００４３】
このように、本発明では、係止部として係止突起１５ｂが設けられ、係止受け部として係止穴２２ｂが設けられていても良い。また、変形例Ｂにおいても、係止突起１５ｂ及び係止穴２２ｂは複数設けられていても良いことは勿論である。
【００４４】
（第１の実施形態の変形例Ｃ）
さらに、本発明の第１の実施形態の固定構造１では、結束片１５が一対設けられていたが、変形例Ｃの固定構造５０では、図９に示すように、結束片１５を一つのみ設けている。この一つの結束片１５は、連結部１３の一方の縁からワイヤハーネス３の長手方向と交差する方向に沿って延びている。固定構造５０では、この一つの結束片１５をワイヤハーネス３の外周に巻き付けて、結束片１５の連結部１３から離れた側の端部に設けられた係止部としての係止穴１５ａを、係止受け部としての係止突起２２ａに引っ掛けてワイヤハーネス３を結束させる。
【００４５】
このように本発明では、ワイヤハーネス３の外周に巻き付けることが可能な長さを有した結束片１５が少なくとも一つ備えられていれば良い。また、変形例Ｃにおいても、係止部として係止突起が設けられ、係止受け部として係止穴が設けられていても良いし、係止突起及び係止穴は複数設けられていても良いことは勿論である。
【００４６】
（第２の実施形態）
次に本発明の第２の実施形態にかかる固定構造６０を図１０ないし図１２を参照して説明する。図１０は、本発明の第２の実施形態にかかる固定構造６０を示す斜視図であり、図１１は図１０中のＣ−Ｃ線に沿う断面図であり、図１２は、図１０に示された固定構造６０の組み立て方を説明するための図である。なお、前述した第１の実施形態と同一部分には、同一符号を付して説明を省略する。
【００４７】
本発明の第２の実施形態にかかる固定構造６０のプロテクタ２０は、図１０に示すように、収容部２１のワイヤハーネス３の幅方向の両縁それぞれにヒンジ２４を介して連なった回動片２３を備えている。回動片２３のヒンジ２４から離れた側の端部には、係止受け部としての係止突起２３ａが設けられている。前述の結束部１５に設けられた係止部としての係止穴１５ａと該係止突起２３ａとが係止することで、結束片１５は回動片２３に取り付けられる。図示例では、該回動片２３は収容部２１の両縁に一対設けられている。
【００４８】
回動片２３は、図１１中の二点鎖線で示すワイヤハーネス３がプロテクタ２０の重なり部２２から離脱することを許容する非結束位置と、図１１の実線で示すワイヤハーネス３がプロテクタ２０の重なり部２２から離脱することを規制する結束位置とに亘って、ヒンジ２４を中心として回動自在になっている。
【００４９】
回動片２３が図１１の実線で示す結束位置に位置している時、係止突起２３ａ及び係止穴１５ａは、ヒンジ２４よりプロテクタ２０の幅方向の内側に配されている。また、結束位置では、結束片１５には、係止穴１５ａ側からヒンジ２４に向かう方向（図中矢印Ｘで示す）に弾性復元力が生じている。このため、回動片２３は結束片１５の弾性復元力によって、ワイヤハーネス３が離脱することを規制する結束位置に向かって（図中矢印Ｙで示す）回動し、ワイヤハーネス３を締め付ける。このように、回動片２３は、結束片１５の弾性復元力により前述の結束位置に保たれる。こうして結束片１５は、ワイヤハーネス３をプロテクタ２０の重なり部２２に結束（固定）する。
【００５０】
前述した構成の固定構造６０は、以下のように組み立てられる。まず、第１の実施形態と同様に、ワイヤハーネス３を、筒部１１内に通すとともに、グロメット１０の平板部１７上に位置付ける。そして、平板部１７と、収容部２１とを互いに固定して、これらの間にワイヤハーネス３を挟む。
【００５１】
次に、図１２（ａ）に示すように、回動片２３をワイヤハーネスが離脱するのを許容する非結束位置に位置付け、結束片１５を回動片２３に沿わせて、係止穴１５ａを、係止突起２３ａに係止させて結束片１５を回動片２３に取り付ける。そして、図１２（ｂ）に示すように、回動片２３をワイヤハーネス３が離脱するのを規制する結束位置に向かって倒す。すると、結束片１５が引っ張られて伸びる。さらに図１２（ｃ）に示すように回動片２３を結束位置に向かって倒すと、結束片１５が弾性復元力によって縮み、図１２（ｄ）に示すように、結束片１５の弾性復元力により回動片２３が結束位置に位置付けられる。こうして結束片１５がワイヤハーネス３に巻き付き、ワイヤハーネス３をプロテクタ２０の重なり部２２に結束（固定）する。
【００５２】
このように本発明の第２の実施形態の固定構造６０は、グロメット１０と一体成型された一対の結束片１５と、プロテクタ２０の収容部２１の両縁からヒンジ２４を介して回動自在に連なった一対の回動片２３をとを備えている。そして、結束片１５には係止部としての係止穴１５ａ、回動片２３には係止穴１５ａと係止する係止受け部としての係止突起２３ａが設けられており、係止穴１５ａを係止突起２３ａに引っかけて、回動片２３を倒すだけでワイヤハーネス３をプロテクタ２０の重なり部２２に結束（固定）することができる。さらに、この固定構造６０は、ドア２に取り付けられる。
【００５３】
このように、本発明の第２の実施形態の固定構造６０は、プロテクタ２０の縁からヒンジ２４を介して回動自在に連結され、かつ一対の結束片１５が取り付けられる一対の回動片２３を備えている。また、一対の結束片１５の端部に係止部としての係止穴１５ａを設け、一対の回動片２３に該係止穴１５ａと係止する係止受け部としての係止突起２３ａを設けている。該一対の回動片２３は、結束片１５の弾性復元力によりワイヤハーネス３がプロテクタ２０の重なり部２２から離脱することを規制する結束位置に保たれる。
【００５４】
本発明の第２の実施形態の固定構造６０によると、結束片１５がグロメット１０に一体成型されているため、結束箇所がグロメット１０即ちプロテクタ２０に対して位置ずれする虞がない。また、結束片１５の端部に係止穴１５ａを設け、回動片２３に該係止穴１５ａと係止する係止突起２３ａを設けているため、ワンタッチで結束片１５を回動片２３に取り付けることができる。さらに、この結束片１５が取り付けられた回動片２３を、非結束位置から結束位置に向かって倒すだけで、容易にワイヤハーネス３をプロテクタ２０の重なり部２２に結束（固定）することができる。したがって、ワイヤハーネス３のプロテクタ２０への取り付け作業を簡素化することができるとともに、取り付け位置にバラツキの生じないワイヤハーネス３の固定構造６０が得られる。
【００５５】
また、本発明の第２の実施形態では、係止部としての係止穴１５ａは、結束片１５の前述した端部に一つずつ設けられているが、本発明では、長さ調節用に係止穴１５ａが複数設けられていても良い。その場合、ワイヤハーネス３の太さに対応する係止穴１５ａを選び、この係止穴１５ａに係止受け部としての係止突起２３ａを係止させて、結束片１５にたるみが出ないように調節する。このように、本発明では、長さ調節用に係止部としての係止穴１５ａが複数設けられていても良い。
【００５６】
さらに、本発明の第２の実施形態では、結束片１５即ちグロメット１０側に係止穴１５ａが設けられ、回動片２３即ちプロテクタ２０側に該係止穴１５ａと係止する係止突起２３ａが設けられているが、本発明では、グロメット１０側に係止突起が設けられ、プロテクタ２０側に係止穴が設けられていても良い。また、この場合においても、係止突起及び係止穴は複数設けられていても良いことは勿論である。
【００５７】
さらに、本発明の第２の実施形態では、結束片１５及び回動片２３が一対備えられているが、本発明では、ワイヤハーネス３を重なり部２２に結束することができる長さを有した回動片２３及び結束片１５が少なくとも一つ備えられていれば良い。
【００５８】
（第３の実施形態）
次に本発明の第３の実施形態にかかる固定構造７０を図１３及び図１４を参照して説明する。図１３（ａ）は、本発明の第３の実施形態にかかる固定構造７０を示す斜視図であり、図１３（ｂ）は、図１３（ａ）に示された固定構造７０の側面図である。図１４（ａ）は、図１３（ａ）に示された固定構造７０の回動片が結束位置に位置付けられた状態を示す斜視図であり、図１４（ｂ）は、図１４（ａ）に示された固定構造７０の側面図である。なお、前述した第１及び第２の実施形態と同一部分には、同一符号を付して説明を省略する。
【００５９】
本発明の第３の実施形態にかかる固定構造７０は、図１３（ａ）及び図１３（ｂ）に示すように、結束片１５が連結部１３の両縁それぞれから延びて一対設けられている。また、固定構造７０のプロテクタ２０は、重なり部２２の一方の縁にヒンジ２４を介して連なった回動片２３を一つ備えている。該回動片２３のヒンジ２４から離れた側の端部には、係止受け部としての係止突起２３ａが設けられており、前述の結束部１５に設けられた係止部としての係止穴１５ａと該係止突起２３ａとが係止することで、一方の結束片１５は回動片２３に取り付けられる。
【００６０】
プロテクタ２０の重なり部２２の他方の縁には、図１３（ｂ）に示すように、保持壁２３’が設けられている。該保持壁２３’は、グロメット１０の連結部１３寄りに配されて該連結部１３に直交する壁と、この壁に直交しかつこの壁から外方向に延びた壁とを備えて断面Ｌ字状に形成されており、係止受け部としての係止突起２３ａ’が設けらている。前述の結束片１５に設けられた係止部としての係止穴１５ａと該係止突起２３ａ’とが係止することで、他方の結束片１５は保持壁２３’に取り付けられる。
【００６１】
また、本実施形態においても、回動片２３は、第２の実施形態と同様に、ワイヤハーネス３がプロテクタ２０の重なり部２２から離脱することを許容する非結束位置（図１３（ｂ）に示す）と、保持壁２３’と協働してワイヤハーネス３がプロテクタ２０の重なり部２２から離脱することを規制する結束位置（図１４（ｂ）に示す）とに亘って、ヒンジ２４を中心として回動自在になっている。この回動片２３は、ワイヤハーネス３が離脱することを規制する結束位置に回動し、ワイヤハーネス３を締め付ける。こうして結束片１５は、ワイヤハーネス３をプロテクタ２０の重なり部２２に結束（固定）する。
【００６２】
さらに、本発明の第３の実施形態にかかるプロテクタ２０は、回動片２３を、ワイヤハーネス３を結束する結束位置に保つロック手段を備えている。ロック手段は、図１３及び図１４に示すように、回動片２３に設けられた突起状のロック２３ｂと、重なり部２２に設けられかつロック２３ｂと係止する穴状のロック受け部２３ｃとを備えている。回動片２３が結束位置に位置付けられた時、回動片２３に設けられたロック２３ｂが重なり部２２に設けられたロック受け部２３ｃに係止することにより、回動片２３は重なり部２２と当接した格好で固定される。
【００６３】
前述した構成の固定構造７０は、以下のように組み立てられる。まず、第１及び第２の実施形態と同様に、ワイヤハーネス３を、筒部１１内に通すとともに、グロメット１０の平板部１７上に位置付ける。そして、平板部１７と、収容部２１とを互いに固定して、これらの間にワイヤハーネス３を挟む。
【００６４】
次に、回動片２３をワイヤハーネス３が離脱するのを許容する非結束位置に位置付けて、一方の結束片１５を回動片２３に沿わせて、係止穴１５ａを、係止突起２３ａに係止させて結束片１５を回動片２３に取り付ける。また、他方の結束片１５を保持壁２３’に沿わせて、係止穴１５ａを、係止突起２３ａ’に係止させて結束片１５を保持壁２３’に固定する。
【００６５】
続いて、回動片２３をワイヤハーネス３が離脱するのを規制する結束位置に向かって倒して、回動片２３に設けられたロック２３ｂと重なり部２２に設けられたロック受け部２３ｃとを係止させる。すると、結束位置でロック２３ｂとロック受け部２３ｃとが係止することにより、回動片２３は重なり部２２と当接した格好で固定される。こうして結束片１５がワイヤハーネス３に巻き付き、ワイヤハーネス３をプロテクタ２０の重なり部２２に結束（固定）する。
【００６６】
このように本発明の第３の実施形態の固定構造７０は、グロメット１０と一体成型された結束片１５と、プロテクタ２０の重なり部２２の一方の縁からヒンジ２４を介して回動自在に連なった一つの回動片２３と、プロテクタ２０の重なり部２２の他方の縁から連なった保持壁２３’とを備えている。そして、結束片１５には係止部としての係止穴１５ａが設けられており、回動片２３及び保持壁２３’には係止穴１５ａと係止する係止受け部としての係止突起２３ａ及び２３ａ’がそれぞれ設けられている。この係止穴１５ａを係止突起２３ａ及び２３ａ’に引っかけて一対の結束片１５を回動片２３及び保持壁２３’に取り付け、回動片２３を倒し、結束位置でロック２３ｂとロック受け部２３ｃとを係止させる。こうしてワイヤハーネス３をプロテクタ２０の重なり部２２に結束（固定）する。さらに、この固定構造７０は、ドア２に取り付けられる。
【００６７】
このように、本発明の第３の実施形態の固定構造７０によると、結束片１５がグロメット１０に一体成型されているため、結束箇所がグロメット１０即ちプロテクタ２０に対して位置ずれする虞がない。また、結束片１５の端部に係止穴１５ａを設け、回動片２３及び保持壁２３’に係止突起２３ａ，２３ａ’を設けているため、ワンタッチで結束片１５を回動片２３及び保持壁２３’に取り付けることができる。さらに、この結束片１５が取り付けられた回動片２３を非結束位置から結束位置に向かって倒すだけで、容易にワイヤハーネス３をプロテクタ２０の重なり部２２に結束（固定）することができる。したがって、ワイヤハーネス３のプロテクタ２０への取り付け作業を簡素化することができるとともに、取り付け位置にバラツキの生じないワイヤハーネス３の固定構造７０が得られる。
【００６８】
さらに、ロック２３ｂ及びロック受け部２３ｃを設けることにより、回動片２３及び結束片１５を結束位置に固定することができるとともに、結束片１５が回動片２３から外れることを防ぐことができる。したがって、上記の効果に加えて、より信頼性の高いワイヤハーネス３の固定構造７０が得られる。
【００６９】
また、本発明の第３の実施形態では、回動片２３が重なり部２２の一方の縁に一つ設けられ、結束片１５が一対設けられていたが、回動片２３は重なり部２２の両方の縁に設けられていても良いし、結束片１５が一つのみ設けられていても良い。また、回動片２３は、収容部２１に連なって設けられいても良い。
【００７０】
さらに、本発明の第３の実施形態においても、前述の第１及び第２の実施形態と同様に、グロメット１０側に係止突起が設けられ、プロテクタ２０側に係止穴が設けられていても良いし、長さ調節用に係止穴または係止突起が複数設けられていても良い。
【００７１】
また、本実施形態で示したロックが重なり部２２に設けられ、ロック受け部が回動片２３に設けられていても良いことは勿論であり、その他、回動片２３を結束位置に保つロック手段として、回動片２３と重なり部２２との当接面を接着剤で接着しても良いし、ねじでこれらの部材を固定しても良い。
【００７２】
（第４の実施形態）
次に本発明の第４の実施形態にかかる固定構造８０を図１５及び図１６を参照して説明する。図１５は、本発明の第４の実施形態にかかる固定構造８０を示す斜視図であり、図１６は、図１５に示された固定構造８０の要部を拡大した斜視図である。なお、前述した第１ないし第３の実施形態と同一部分には、同一符号を付して説明を省略する。
【００７３】
本発明の第４の実施形態にかかる固定構造８０の結束部１４は、図１５及び図１６に示すように、連結部１３から連なり、無端環状に形成されている。結束部１４は、弾性材料からなり、伸縮性を有している。固定構造８０を組み立てる際には、結束部１４を図示しない開閉器等で拡径させ、結束部１４の内側にワイヤハーネス３を挿通させた後、縮径させてワイヤハーネス３をプロテクタ２０の重なり部２２に結束（固定）する。
【００７４】
このように本発明の第４の実施形態の固定構造８０は、グロメット１０と一体成型された結束部１４を備えている。結束部１４がグロメット１０に一体成型されているため、結束箇所がグロメット１０即ちプロテクタ２０に対して位置ずれする虞がない。また、伸縮自在な環状の結束部１４の内側にワイヤハーネス３を収容し、結束部１４の弾性力によってワイヤハーネス３を結束するため、ワイヤハーネス３のプロテクタ２０への取り付け作業を簡素化することができるとともに、取り付け位置にバラツキの生じないワイヤハーネス３の固定構造８０が得られる。
【００７５】
さらに、本発明の第４の実施形態の変形例を図１７ないし図２０を用いて説明する。図１７は、本発明の第４の実施形態に示された固定構造８０の変形例Ｄを示す斜視図であり、図１８は、図１７に示された固定構造９０の要部を拡大した斜視図である。また、図１９は、本発明の第４の実施形態に示された固定構造８０の変形例Ｅを示す斜視図であり、図２０は、図１９に示された固定構造１００の要部を拡大した斜視図である。なお、前述した第１ないし第４の実施形態と同一部分には、同一符号を付して説明を省略する。
【００７６】
（第４の実施形態の変形例Ｄ）
変形例Ｄの固定構造９０では、図１７及び図１８に示すように、結束部１４は、連結部１３に連なりかつ該連結部１３の幅方向の両端からワイヤハーネス３の長手方向と交差する方向に延びた一対の結束片１５を備えている。一対の結束片１５のうち、一方の結束片１５の連結部１３から離れた側の端部には、係止部としての係止穴１５ａが設けられている。該係止穴１５ａはワイヤハーネス３の長手方向と交差する方向に沿って互いに間隔をあけて複数設けられている。そして、他方の結束片１５の連結部１３から離れた側の端部には、該係止穴１５ａと係止する係止受け部としての係止突起１５ｃが設けられている。
【００７７】
固定構造９０を組み立てる際には、ワイヤハーネス３と重なり部２２との外周に一対の結束片１５を巻き付け、ワイヤハーネス３の太さに対応する係止穴１５ａを選び、この係止穴１５ａに係止突起１５ｃを係止させて、結束片１５にたるみが出ないように調節する。こうして、結束片１５は、ワイヤハーネス３をプロテクタ２０の重なり部２２に結束（固定）する。さらに、この固定構造９０は、ドア２に取り付けられる。
【００７８】
変形例Ｄの固定構造９０によると、結束片１５がグロメット１０に一体成型されているため、結束箇所がグロメット１０即ちプロテクタ２０に対して位置ずれする虞がない。また、一対設けられた結束片１５のうちの一方の結束片１５の端部に、係止部としての係止穴１５ａが設けられ、他方の結束片１５の平板部１７から離れた側の端部に、該係止穴１５ａと係止する係止受け部としての係止突起１５ｃが設けられている。このため、ワンタッチで結束片１５同士を係止させることができ、容易にワイヤハーネス３をプロテクタ２０の重なり部２２に結束（固定）することができる。したがって、ワイヤハーネス３のプロテクタ２０への取り付け作業を簡素化することができるとともに、取り付け位置にバラツキの生じないワイヤハーネス３の固定構造９０が得られる。
【００７９】
さらに、一対設けられた結束片１５のうちの一方の結束片１５の端部には、係止穴１５ａが、ワイヤハーネス３の長手方向と交差する方向に沿って複数設けられている。したがってワイヤハーネス３の太さに合わせて容易に長さ調節が可能なワイヤハーネス３の固定構造９０が得られる。
【００８０】
なお、図示例では係止穴１５ａが複数設けられていたが、本発明では係止突起１５ｃが複数設けられていても良い。
【００８１】
（第４の実施形態の変形例Ｅ）
変形例Ｅの固定構造１００では、図１９及び図２０に示すように、結束部１４は、連結部１３に連なりかつ該連結部１３の幅方向の両端からワイヤハーネス３の長手方向と交差する方向に延びた一対の結束片１５を備えている。該一対の結束片１５の連結部１３から離れた側の端部同士が、溶着箇所１６にて溶着されている。
【００８２】
固定構造１００を組み立てる際には、ワイヤハーネス３と重なり部２２との外周に一対の結束片１５を巻き付け、ワイヤハーネス３の太さに合わせて、結束片１５にたるみが出ないように溶着箇所１６を決める。そして、溶着箇所１６即ち一対の結束片１５の端部同士を熱溶着等で溶着する。こうして、結束片１５は、ワイヤハーネス３をプロテクタ２０の重なり部２２に結束（固定）する。さらに、この固定構造１００は、ドア２に取り付けられる。
【００８３】
このように変形例Ｅの固定構造１００によると、結束片１５がグロメット１０に一体成型されているため、結束箇所がグロメット１０即ちプロテクタ２０に対して位置ずれする虞がない。また、一対設けられた結束片１５の端部同士を、熱溶着等で溶着することによって、ワイヤハーネス３をプロテクタ２０の重なり部２２に結束することができる。したがって、ワイヤハーネス３のプロテクタ２０への取り付け作業を簡素化することができるとともに、取り付け位置にバラツキの生じないワイヤハーネス３の固定構造９０が得られる。さらに、ワイヤハーネス３の太さに合わせて結束片１５同士の溶着箇所を決めることができるため、ワイヤハーネス３の太さに合わせて容易に長さ調節が可能なワイヤハーネス３の固定構造１００が得られる。
【００８４】
さらに、前述した変形例Ｅでは、結束片１５が一対備えられているが、本発明では、ワイヤハーネス３の外周に巻き付けることが可能な長さを有した結束片１５が少なくとも一つ備えられていれば良い。また、結束片１５の端部同士は、熱溶着だけに限らず、接着剤などを用いて接着しても勿論良い。
【００８５】
なお、前述した実施形態は本発明の代表的な形態を示したに過ぎず、本発明は、実施形態に限定されるものではない。即ち、本発明の骨子を逸脱しない範囲で種々変形して実施することができる。例えば、本発明の実施形態及び変形例では、弾性部材として、グロメットを例に挙げて説明したが、本発明の弾性部材は必ずしもグロメットでなくとも良く、例えばチューブなどに用いることもできる。
【図面の簡単な説明】
【００８６】
【図１】本発明の第１の実施形態にかかる固定構造を示す斜視図である。
【図２】図１に示された固定構造の分解斜視図である。
【図３】図１に示された固定構造の斜視図である。
【図４】図３に示された固定構造を反対側から見た斜視図である。
【図５】図３中のＡ−Ａ線に沿う断面図である。
【図６】図１に示された固定構造の変形例Ａを示す斜視図である。
【図７】図６中のＢ−Ｂ線に沿う断面図である。
【図８】図１に示された固定構造の他の変形例Ｂを示す断面図である。
【図９】図１に示された固定構造の更に他の変形例Ｃを示す断面図である。
【図１０】本発明の第２の実施形態にかかる固定構造を示す斜視図である。
【図１１】図１０中のＣ−Ｃ線に沿う断面図である。
【図１２】図１０に示された固定構造の組み立て方を説明するための図である。
【図１３】図１３（ａ）は、本発明の第３の実施形態にかかる固定構造を示す斜視図であり、図１３（ｂ）は、図１３（ａ）に示された固定構造の側面図である。
【図１４】図１４（ａ）は、図１３（ａ）に示された固定構造の回動片が結束位置に位置付けられた状態を示す斜視図であり、図１４（ｂ）は、図１４（ａ）に示された固定構造の側面図である。
【図１５】本発明の第４の実施形態にかかる固定構造を示す斜視図である。
【図１６】図１５に示された固定構造の要部を拡大した斜視図である。
【図１７】図１５に示された固定構造の変形例Ｄを示す斜視図である。
【図１８】図１７に示された固定構造の要部を拡大した斜視図である。
【図１９】図１５に示された固定構造の他の変形例Ｅを示す斜視図である。
【図２０】図１９に示された固定構造の要部を拡大した斜視図である。
【符号の説明】
【００８７】
１，３０，４０，５０，６０，７０，８０，９０，１００，  固定構造
３  ワイヤハーネス
１０  グロメット（弾性部材）
１４  結束部
１５  結束片
１５ａ  係止穴（係止部）
１７  平板部
２０  プロテクタ
２１  収容部
２２  重なり部
２２ａ  係止突起（係止受け部）
２３  回動片
２３ａ  係止突起（係止受け部）
２３ｂ  ロック（ロック手段）
２３ｃ  ロック受け部（ロック手段）
２４  ヒンジ
【図１】
2006166511.tif 000003
【図２】
2006166511.tif 000004
【図３】
2006166511.tif 000005
【図４】
2006166511.tif 000006
【図５】
2006166511.tif 000007
【図６】
2006166511.tif 000008
【図７】
2006166511.tif 000009
【図８】
2006166511.tif 000010
【図９】
2006166511.tif 000011
【図１０】
2006166511.tif 000012
【図１１】
2006166511.tif 000013
【図１２】
2006166511.tif 000014
【図１３】
2006166511.tif 000015
【図１４】
2006166511.tif 000016
【図１５】
2006166511.tif 000017
【図１６】
2006166511.tif 000018
【図１７】
2006166511.tif 000019
【図１８】
2006166511.tif 000020
【図１９】
2006166511.tif 000021
【図２０】
2006166511.tif 000022